(57)【要約】【課題】照明範囲を変えるとともに、個々の点光源の向きを変えることにより配光状態を変えることができる照明器具を提供する。【解決手段】点光源４０は、各々独立してあるいは所定数ごとにまとまって、灯具３０に対して可動状態で取付けられ、さらに灯具３０は器具本体２０に対して可動状態に取付けられる。このため、点光源４０は、被取付面１１に埋め込まれて取付けられている器具本体２０に対して、各々独立してあるいは所定数ごとに向きを変えることができるので、指向性の強い点光源４０を用いても、照明範囲および配光状態を自由に変えることができる。【選択図】図１
2010192389.tif 000002
【特許請求の範囲】
【請求項１】
被取付面に埋め込まれて取付けられる器具本体と、
前記器具本体に可動状態で収容される灯具と、
前記灯具に収容される複数の点光源と、を備え、
前記点光源が、各々独立して可動状態で、もしくは所定数ごとに可動状態で、前記灯具に取付けられていることを特徴とする照明器具。
【請求項２】
前記点光源は、各々前方に集光レンズを有することを特徴とする請求項１記載の照明器具。
【発明の詳細な説明】
【技術分野】
【０００１】
本発明は、天井等に取付けられ、照明方向および範囲を変えることができる照明器具に関するものである。
【背景技術】
【０００２】
従来より、例えば、商品等を照明するために、照射方向を変えることができる照明器具が提案されている（例えば特許文献１参照）。
図５に示すように、特許文献１に記載の照明器具１００は、天井に取付けられる本体１０１と、本体１０１に取付けられる回転体１０２と、光源であるＬＥＤ１０３を有するとともに回転体に取付けられた灯体１０４とを備える。灯体１０４は、光源として６つのＬＥＤ１０３を固定的に有する。
【０００３】
本体１０１にはダクト収納溝１０５が形成されており、照明器具１００はダクトを介して天井に取付けられる。本体１０１と回転体１０２とは、天井に固定される本体１０１を第１層とし、回転体１０２を第２層とする層状であって、回転体１０２は回転軸１０６を軸として本体１０１に対して任意の方向へ回転可能に取付けられている。また、灯体１０４は、ヒンジ状の接続部１０７を介して、回転体１０２に対して開閉可能に取付けられている。
【０００４】
従って、本体１０１に対して（すなわち、被取付面である天井に対して）回転体１０２を回転軸１０６を軸として所望の方向へ回転させ、灯体１０４を接続部１０７を軸として上下方向へ回動させることにより、灯体１０４に取付けられている複数のＬＥＤを所望の方向へ向けて、商品等を照明することができる。
【先行技術文献】
【特許文献】
【０００５】
【特許文献１】特開２００８−２１８１８８号公報（第１図）
【発明の概要】
【発明が解決しようとする課題】
【０００６】
しかしながら、前述した特許文献１に記載の照明器具１００は、複数のＬＥＤ１０３が各々設定された向きで灯体１０４に固定されているため、灯体１０４の向きを変えるとすべてのＬＥＤ１０３が同様に向きを変えることになる。
従って、照明方向を変えることができるが、照明範囲や配光状態を変えることができないという問題があった。
【０００７】
本発明は、従来の問題を解決するためになされたもので、照明範囲を変えるとともに、個々の点光源の向きを変えることにより配光状態を変えることができる照明器具を提供することを目的とする。
【課題を解決するための手段】
【０００８】
本発明の照明器具は、被取付面に埋め込まれて取付けられる器具本体と、前記器具本体に可動状態で収容される灯具と、前記灯具に収容される複数の点光源と、を備え、前記点光源が、各々独立して可動状態で、もしくは所定数ごとに可動状態で、前記灯具に取付けられた構成を有している。
【０００９】
この構成により、点光源は、各々独立してあるいは所定数ごとにまとまって、灯具に対して可動状態で取付けられ、さらに灯具は器具本体に対して可動状態に取付けられる。このため、点光源は、被取付面に埋め込まれて取付けられている器具本体に対して、各々独立してあるいは所定数ごとに連動して向きを変えることができるので、照明範囲および配光状態を自由に変えることができる。
【００１０】
また、本発明の照明器具は、前記点光源は、各々前方に集光レンズを有する構成を有している。
【００１１】
この構成により、各点光源に集光レンズが取付けられているので、個々の点光源によって複数の対象物に対して光を照射することができる。
【発明の効果】
【００１２】
本発明は、点光源は、各々独立してあるいは所定数ごとにまとまって、灯具に対して可動状態で取付けられ、さらに灯具は器具本体に対して可動状態に取付けられる。このため、点光源は、被取付面に埋め込まれて取付けられている器具本体に対して、各々独立してあるいは所定数ごとに連動して向きを変えることができるので、照明範囲および配光状態を自由に変えることができるという効果を有する照明器具を提供することができるものである。
【図面の簡単な説明】
【００１３】
【図１】本発明の実施形態にかかる照明器具の斜視図
【図２】照明器具の分解斜視図
【図３】点光源の一例を示す断面図
【図４】（Ａ）は複数の点光源で１個の照明範囲を形成した状態を示す説明図、（Ｂ）複数の点光源が各々別の照明範囲を形成した状態を示す説明図
【図５】（Ａ）〜（Ｃ）は従来の照明器具の斜視図
【発明を実施するための形態】
【００１４】
以下、本発明の実施形態の照明器具について、図面を用いて説明する。
図１は本発明の実施形態にかかる照明器具を示す斜視図、図２は照明器具の分解斜視図、図３は点光源の一例を示す断面図、図４（Ａ）は複数の点光源で１個の照明範囲を形成した状態を示す説明図、図４（Ｂ）複数の点光源が各々別の照明範囲を形成した状態を示す説明図である。
【００１５】
図１に示すように、本発明の実施形態にかかる照明器具１０は、被取付面である天井１１に埋め込まれて、下方の室内を照明するのに使用することができる。
照明器具１０は、天井１１に埋め込まれて取付けられる器具本体２０と、器具本体２０に可動状態で収容される灯具３０と、灯具３０に収容される複数の点光源４０を有する。
【００１６】
図２にも示すように、器具本体２０は、天井１１に埋め込まれた際に下方に露出するリング形状の鍔部２１を有し、鍔部２１の内側が下方に開口（開口部２１１）している。鍔部２１の裏側（上側）には、灯具３０を可動状態で収容するための灯具収容部２２が形成されている。灯具収容部２２は、一部を切除した球状をしており、内部には灯具３０を収容する灯具収容空間２３が形成されている。灯具収容空間２３は、半球よりやや大きめの部分球状の空間となっている。
【００１７】
図２に示すように、灯具３０は、一部を切除した球状の灯具本体３１を有し、一部にはほぼ平面状の照射面３２を有する。灯具３０は、器具本体２０の球状の灯具収容空間２３に可動状態で収容され、器具本体２０の開口部２１１から照射面３２を下方に露出している。
従って、ここでは、可動状態とは、球状の灯具本体３１の中心を中心として、任意の方向へ回転可能な状態を言う。
【００１８】
灯具本体３１の照射面３２には、点光源４０を収容する複数個の点光源収容部３３が凹設されており、下方に開口（開口部３３１）している。点光源収容部３３は、一部を切除した部分球状をしており、内部に点光源４０を可動状態で収容する。
【００１９】
図３にも示すように、点光源４０は、一部を切除した球状の点光源本体４１を有し、内部空間４４を有する。内部空間４４には、プリント基板４５が取付けられており、プリント基板４５の前面（下面）には光源であるＬＥＤ４２が実装されている。さらに、ＬＥＤ４２の前方には、所定の形状をした集光レンズ４３が取付けられている。
【００２０】
なお、プリント基板４５にＬＥＤ点灯用の電力を供給する電線４６は、点光源本体４１後方の開口部４１１から引き出され、灯具本体３１の後方に設けられている開口部（図示省略）から引き出されて、器具本体２０を貫通して電源装置に接続される。
【００２１】
図１および図２に示すように、点光源４０は灯具３０の球状の点光源収容部３３に収容され、集光レンズ４３が開口部３３１から下方に露出している。集光レンズ４３により、ＬＥＤ４２の発する光を集光することができるので、単独の集光レンズ４３によって、例えば、陳列品等を照明することができる。
【００２２】
従って、ここでは、可動状態とは、球状の点光源本体４１の中心を中心として、任意の方向へ回転可能な状態を言う。点光源４０は、各々独立して可動状態で点光源収容部３３に収容することができる。
あるいは、所定数ごと、例えば、２個の点光源４０が連動する可動状態で点光源収容部３３に収容することができる。なお、点光源４０の数が多い場合には、２個以上の点光源４０が連動するようにすることも可能である。
【００２３】
図４（Ａ）、（Ｂ）には、照明器具１０による照明および配光状態の例が示されている。
図４（Ａ）に示すように、点光源４０を個別に回転させて、３個の点光源４０によって１個の広い照明範囲を形成することができる。この状態で灯具３０を回転させることにより、照明範囲を所望の方向へ移動させることができる。
また、図４（Ｂ）に示すように、点光源４０を個別に回転させて、小さな３個の照明範囲を形成することができる。この状態で灯具３０を回転させると、３個の照明範囲を保持して、全体の照射方向を変えることができる。
【００２４】
以上、説明した本発明の照明器具１０の実施形態によれば、点光源４０は、各々独立して灯具３０に対して可動状態で取付けられ、さらに灯具３０は器具本体２０に対して可動状態に取付けられる。このため、点光源４０は、天井１１に埋め込まれて取付けられている器具本体２０に対して、各々独立して向きを変えることができるので、照明範囲および配光状態を自由に変えることができる。
【００２５】
また、点光源４０は、各々前方に集光レンズ４３を有するので、個々の点光源４０によって複数の対象物に対して光を照射することができる。
【００２６】
なお、本発明の照明器具は、前述した実施形態に限定されるものでなく、適宜な変形，改良等が可能である。
例えば、前述した実施形態においては、点光源４０を３個設けた場合について例示したが、点光源４０の数は任意である。
【００２７】
また、前述した実施形態においては、個々の点光源４０が独立して回転可能な場合について説明したが、所定数の点光源４０をリンク等により連結し、連動して回転させるようにすることも可能である。
【符号の説明】
【００２８】
１０  照明器具
１１  天井（被取付面）
２０  器具本体
３０  灯具
４０  点光源
４３  集光レンズ
【図１】
2010192389.tif 000003
【図２】
2010192389.tif 000004
【図３】
2010192389.tif 000005
【図４】
2010192389.tif 000006
【図５】
2010192389.tif 000007